(57)【特許請求の範囲】
【請求項１】
開口部を有する枠部及び前記枠部に一体形成された透光板を有するハウジングと、前記ハウジングに収容され前記開口部から視認される表示パネルと、前記透光板の後面に貼着されたモスアイフィルムと、を備え、前記透光板の前記後面は、前記開口部の近傍において前記枠部よりも前記ハウジングの中側に突出しているか若しくは前記枠部と同一面になっており、且つ、前記モスアイフィルムは、前記透光板の前記後面よりも幅広であることを特徴とする表示装置。
【請求項２】
前記モスアイフィルムは、前記ハウジングの前記開口部よりも幅広であることを特徴とする請求項１に記載の表示装置。
【発明の詳細な説明】
【技術分野】
【０００１】
本発明は、モスアイフィルム等の光学フィルムを備えた表示装置に関するものである。
【背景技術】
【０００２】
従来より、外光反射を防止するための光学フィルムが設けられた表示装置が種々提案されており、例えば特許文献１に開示されている。斯かる表示装置は、可視光の波長以下のピッチで配置された多数の錘状突部を有する光学フィルム（モスアイフィルム）により、外光反射を低減させるものである。このような表示装置は、表示パネル及びこの表示パネルの前側に配置された透光板を備え、透光板を通して表示パネルを視認ものであり、透光板の表示パネル側に光学フィルムが貼着されている。
【先行技術文献】
【特許文献】
【０００３】
【特許文献１】特開２０１２−１８５３３８号公報
【発明の概要】
【発明が解決しようとする課題】
【０００４】
しかしながら、モスアイフィルムの縁部が視認されてしまう虞があった。つまり、モスアイフィルム等の光学フィルムは、それ自体は視認されないことが望ましいのであるが、モスアイフィルムの外延である縁部が視認され、表示品位が損なわれるという問題を有していた。
本発明は、この問題に鑑みなされたものであり、光学フィルムの縁部が視認され難く、表示品位が損なわれる虞が少ない表示装置を提供するものである。
【課題を解決するための手段】
【０００５】
本発明は、開口部３２ａを有する枠部３２及び前記枠部３２に一体形成された透光板３１を有するハウジング１００と、前記ハウジング１００に収容され前記開口部３２ａから視認される表示パネル１０と、前記透光板３１の後面３１ｂに貼着されたモスアイフィルム５０と、を備え、前記透光板３１の前記後面３１ｂは、前記開口部３２ａの近傍において前記枠部３２よりも前記ハウジング１００の中側に突出しているか若しくは前記枠部３２と同一面になっており、且つ、前記モスアイフィルム５０は、前記透光板３１の前記後面３１ｂよりも幅広であるものである。
【０００６】
また、本発明は、前記モスアイフィルム５０は、前記ハウジング１００の前記開口部３２ａよりも幅広であるものである。
【発明の効果】
【０００７】
光学フィルムの縁部が視認され難いため、表示品位が損なわれる虞が少ない。
【図面の簡単な説明】
【０００８】
【図１】本発明の第一実施形態を示す断面図。
【図２】同上実施形態を示す正面図。
【図３】同上実施形態を示す要部拡大断面図。
【図４】本発明の第二実施形態を示す要部拡大断面図。
【図５】本発明の第三実施形態を示す断面図。
【図６】同上実施形態を示す要部拡大断面図。
【図７】本発明の第四実施形態を示す断面図。
【図８】同上実施形態を示す要部拡大断面図。
【図９】本発明の第四実施形態を示す断面図。
【図１０】比較例を示す断面図。
【図１１】比較例を示す断面図。
【発明を実施するための形態】
【０００９】
以下、添付図面に基づいて、本発明を車両用表示装置に適用した一実施形態を説明する。図１乃至図３は、第一実施形態を示すものである。車両用表示装置は、液晶表示器１０，回路基板２０，上ケース３０，下ケース４０，モスアイフィルム５０を備えている。
【００１０】
液晶表示器１０は、例えばカラー液晶モジュールからなるものであり、ＴＦＴ型液晶表示素子及びバックライトユニットを有している。液晶表示器１０は、図示しない可撓性配線部材により、回路基板２０と電気的に接続されている。回路基板２０は、ガラスエポキシ樹脂からなる基材に銅箔からなる配線パターンを形成したものであり、回路基板２０には、液晶表示器１０を制御するマイコン等の各種電子部品が実装されている。液晶表示器１０の画面には、車両速度等の車両情報が表示される。
【００１１】
上ケース３０は、液晶表示器１０に表示された画像を視認するための透光板３１と、不透明な樹脂からなる枠部３２とを有している。上ケース３０の透光板３１は、透光性樹脂若しくは無機ガラスからなるものであり、正面視で矩形になっている。上ケース３０の透光板３１は、平板形状になっており、枠部３２にインサート成形されている。透光板３１の後面３１ｂの周囲には、段差部３１ｄが形成されており、透光板３１の後面３１ｂは、前面３１ｆよりも狭くなっている。透光板３１の後面３１ｂは、所定の横幅Ｗ１及び縦幅Ｗ２を有している。
【００１２】
上ケース３０の枠部３２は、矩形の開口部３２ａを有しており、この開口部３２ａから液晶表示器１０の画面が視認される。枠部３２の開口部３２ａは、透光板３１の後面３１ｂと同一形状で、且つ、同一の大きさになっている。上ケース３０の枠部３２は、矩形の窓部３２ｗを有しており、この窓部３２ｗは、透光板３１の前面３１ｆと同一形状で、且つ、同一の大きさになっている。上ケース３０の枠部３２は、透光板３１の外周端部３１ｇから開口部３２ａに延長形成された延長部３２ｅを有している。延長部３２ｅの後面と、透光板３１の後面３１ｂとは同一面になっている。透光板３１の後面３１ｂと、延長部３２ｅの後面とが同一面になっているため、開口部３２ａの近傍に気泡が生じる虞が少ない。延長部３２ｅの前面は、延長部３２ｅの後面と平行になっている。
【００１３】
下ケース４０は、不透明な樹脂からなるものであり、底壁部４１と周壁部４２とを有している。下ケース４０の周壁部４２は、図示しないフックやビスによって上ケース３０の枠部３２に固定されている。ハウジング１００は、上ケース３０と下ケース４０とからなるものである。ハウジング１００には、液晶表示器１０及び回路基板２０が収容されている。
【００１４】
モスアイフィルム５０は、可視光の波長以下のピッチで配置された多数の錘状突部を有する光学フィルムであり、例えば、三菱レイヨン株式会社製のモスマイト（登録商標）を用いることができる。モスアイフィルム５０は、矩形になっており、所定の横幅Ｗ３及び縦幅Ｗ４を有している。モスアイフィルム５０の横幅Ｗ３は、後面３１ｂの横幅Ｗ１よりも大きく、且つ、モスアイフィルム５０の縦幅Ｗ４は、後面３１ｂの縦幅Ｗ２よりも大きい。モスアイフィルム５０は、透光性粘着層によって透光板３１の後面３１ｂに貼着されている。モスアイフィルム５０は、透光板３１の後面３１ｂの全面だけでなく、延長部３２ｅの後面にも貼着されている。
【００１５】
図４は、第二実施形態を示すものである。第二実施形態は、第一実施形態に比して透光板３１が異なるだけであり、他の構成は第一実施形態と同様である。
【００１６】
透光板３１の後面３１ｂは、延長部３２ｅの後面よりも、ハウジング１００の中側に突出している。透光板３１の後面３１ｂが枠部３２よりも突出しているため、開口部３２ａの近傍に気泡が生じる虞があるが、その気泡は開口部３２ａよりも外側に生じるため、視認され難い。
【００１７】
図５及び図６は、第三実施形態を示すものである。第三実施形態は、第一実施形態に比して枠部３２が異なるだけであり、他の構成は第一実施形態と同様である。
【００１８】
上ケース３０の枠部３２は、矩形の開口部３２ａを有しており、この開口部３２ａは、透光板３１の後面３１ｂと同一形状で、且つ、同一の大きさになっている。上ケース３０の枠部３２は、矩形の窓部３２ｗを有しており、この窓部３２ｗは、透光板３１の前面３１ｆと同一形状で、且つ、同一の大きさになっている。上ケース３０の枠部３２は、透光板３１の外周端部３１ｇから開口部３２ａに延長形成された延長部３２ｅを有している。延長部３２ｅの後面と、透光板３１の後面３１ｂとは同一面になっている。延長部３２ｅの前面は、傾斜面になっている。
【００１９】
図７及び図８は、第四実施形態を示すものである。第四実施形態は、第一実施形態に比して枠部３２が異なるだけであり、他の構成は第一実施形態と同様である。
【００２０】
上ケース３０の枠部３２は、矩形の開口部３２ａを有しており、この開口部３２ａは、透光板３１の後面３１ｂよりも小さくなっている。上ケース３０の枠部３２は、矩形の窓部３２ｗを有しており、この窓部３２ｗは、透光板３１の後面３１ｂと同一形状で、且つ、同一の大きさになっている。上ケース３０の枠部３２は、透光板３１の外周端部３１ｇから開口部３２ａに延長形成された延長部３２ｈと、透光板３１の外周端部３１ｇから窓部３２ｗに延長形成された延長部３２ｅとを有している。延長部３２ｅの後面と、透光板３１の後面３１ｂとは同一面になっている。
【００２１】
各実施形態によれば、モスアイフィルム５０が透光板３１の後面３１ｂよりも大きくなっているため、モスアイフィルム５０の縁部５０ｂが延長部３２ｅにて隠蔽され、視認されることがない。
【００２２】
図１０及び図１１は、比較例を示す図である。図１０に示すように、透光板３１の後面３１ｂよりもモスアイフィルム５０が小さい場合は、モスアイフィルム５０の縁部５０ｂが視認されてしまう。また、図１１に示すように、透光板３１の後面３１ｂと、延長部３２ｅの前面とが同一平面になっている場合は、モスアイフィルム５０の縁部５０ｂが延長部３２ｅにて隠蔽されるが、開口部３２ａの内側に気泡Ｂが生じて、この気泡Ｂが視認されてしまう。
【００２３】
本発明は、各実施形態に限定されるものではなく、種々の変形が可能であり、例えば、図９に示す第五実施形態のように、枠部３２の前面を覆うように加飾部材６０を設けても良い。また、各実施形態の表示パネルは液晶表示器であったが、例えば、表示パネルは有機ＥＬパネルであっても良い。
【符号の説明】
【００２４】
１０    液晶表示器（表示パネル）
２０    回路基板
３０    上ケース
３１    透光板
３２    枠部
４０    下ケース
５０    モスアイフィルム（光学フィルム）
６０    加飾部材
１００    ハウジング
【図１】
0006507684.tif 000002
【図２】
0006507684.tif 000003
【図３】
0006507684.tif 000004
【図４】
0006507684.tif 000005
【図５】
0006507684.tif 000006
【図６】
0006507684.tif 000007
【図７】
0006507684.tif 000008
【図８】
0006507684.tif 000009
【図９】
0006507684.tif 000010
【図１０】
0006507684.tif 000011
【図１１】
0006507684.tif 000012